(57)【特許請求の範囲】
【請求項１】
第１構成部品及び第２構成部品を含むリソグラフィ装置であって、前記第１構成部品及び前記第２構成部品は、互いに対して、スキャン方向及び前記スキャン方向と実質的に垂直であるステップ方向のうちの一方において相対運動を経る、リソグラフィ装置であって、
前記第１構成部品は第１表面を有し、前記第２構成部品は第２表面を有し、前記第１表面及び前記第２表面は互いに向き合っており、前記第１表面及び前記第２表面のうちの少なくとも特定の１つはバリアシステムを収容し、
前記バリアシステムは、前記第１表面と前記第２表面との間のガスの保護容積内への周囲ガスの流入を減少又は防止するように動作するバリアを提供し、
前記バリアは、前記第１表面及び前記第２表面のうちの特定の１つに隣接する前記保護容積の一部を囲う壁であって、前記第１表面及び前記第２表面のうちの特定の１つからの突起である壁を含み、
前記バリアは、前記スキャン方向及び前記ステップ方向が位置する平面にジオメトリを有し、前記バリアは前記保護容積の周りの周囲ガスの流れを誘導するように動作し、前記周囲ガスの流れは、前記第１構成部品及び前記第２構成部品の相対運動によって誘発され、
前記ジオメトリは第１角及び第２角を有し、
前記第１構成部品及び前記第２構成部品が互いに対して前記スキャン方向及び前記ステップ方向のうちの特定の一方に移動した場合、前記第１角は前記バリアの先端として機能し、前記第２角は前記バリアの後端として機能し、
前記第１構成部品及び前記第２構成部品が互いに対して前記特定の方向と反対のさらなる方向に移動した場合、前記第１角は前記バリアの前記後端として機能し、前記第２角は前記バリアの前記先端として機能する、リソグラフィ装置。
【請求項２】
前記第１表面及び前記第２表面のうちの特定の１つにおいて、第１方向の想像線が規定され、前記想像線は前記第１角及び前記第２角を通過し、前記第１方向は前記特定の方向に対して傾斜している、請求項１に記載のリソグラフィ装置。
【請求項３】
第１構成部品及び第２構成部品を含むリソグラフィ装置であって、前記第１構成部品及び前記第２構成部品は、互いに対して、スキャン方向及び前記スキャン方向と実質的に垂直であるステップ方向のうちの一方において相対運動を経る、リソグラフィ装置であって、
前記第１構成部品は第１表面を有し、前記第２構成部品は第２表面を有し、前記第１表面及び前記第２表面は互いに向き合っており、前記第１表面及び前記第２表面のうちの少なくとも特定の１つはバリアシステムを収容し、
前記バリアシステムは、前記第１表面と前記第２表面との間のガスの保護容積内への周囲ガスの流入を減少又は防止するように動作するバリアを提供し、
前記バリアは、少なくとも２つの開口であって、前記第１表面及び前記第２表面のうちの特定の１つに隣接する前記保護容積の一部を囲うガスカーテンを確立するために前記少なくとも２つの開口からのバリアガスの流れに適合されている少なくとも２つの開口を含み、前記少なくとも２つの開口のうちの一方は、バリアガスの乱流を提供する内側開口であり、前記少なくとも２つの開口のうちの他方は、バリアガスの層流を提供する外側開口であり、
前記バリアは、前記スキャン方向及び前記ステップ方向が位置する平面にジオメトリを有し、前記バリアは前記保護容積の周りの周囲ガスの流れを誘導するように動作し、前記周囲ガスの流れは、前記第１構成部品及び前記第２構成部品の相対運動によって誘発され、
前記ジオメトリは第１角及び第２角を有し、
前記第１構成部品及び前記第２構成部品が互いに対して前記スキャン方向及び前記ステップ方向のうちの特定の一方に移動した場合、前記第１角は前記バリアの先端として機能し、前記第２角は前記バリアの後端として機能し、
前記第１構成部品及び前記第２構成部品が互いに対して前記特定の方向と反対のさらなる方向に移動した場合、前記第１角は前記バリアの前記後端として機能し、前記第２角は前記バリアの前記先端として機能し、前記第１表面及び前記第２表面のうちの特定の１つにおいて、第１方向の想像線が規定され、前記想像線は前記第１角及び前記第２角を通過し、前記第１方向は前記特定の方向に対して傾斜している、リソグラフィ装置。
【請求項４】
前記ジオメトリは前記第１方向に対して対称であり、及び/又は前記ジオメトリは前記
第１方向に細長い、請求項２又は３に記載のリソグラフィ装置。
【請求項５】
放射ビームが前記保護容積を通過する、請求項１〜４のいずれかに記載のリソグラフィ装置。
【請求項６】
前記放射ビームはセンサに向いた放射ビームである、請求項５に記載のリソグラフィ装置。
【請求項７】
前記第１構成部品及び/又は前記第２構成部品は、前記センサによる検出のためにその
上に少なくとも１つのターゲットを有する、請求項６に記載のリソグラフィ装置。
【請求項８】
前記センサは、１つの物体の互いに対するアライメントを測定するためのアライメントセンサである、請求項６に記載のリソグラフィ装置。
【請求項９】
前記第１構成部品及び前記第２構成部品のうちの一方は基板テーブルを含み、前記第１構成部品及び前記第２構成部品のうちの他方は基準フレームを含む、請求項６、７又は８に記載のリソグラフィ装置。
【請求項１０】
前記保護容積は前記センサと接触している、請求項８又は９に記載のリソグラフィ装置。
【請求項１１】
前記センサは、表面のトポグラフィを測定するためのレベルセンサである、請求項６に記載のリソグラフィ装置。
【請求項１２】
前記リソグラフィ装置は、投影ビームを基板上に投影するための投影システムの上にプレートを含み、前記第１構成部品及び前記第２構成部品のうちの一方は前記プレートを含む、請求項９、１０又は１１に記載のリソグラフィ装置。
【請求項１３】
前記リソグラフィ装置はパターニングデバイステーブルを含み、前記第１構成部品及び前記第２構成部品のうちの他方は前記パターニングデバイステーブルを含む、請求項１２に記載のリソグラフィ装置。
【発明の詳細な説明】
【技術分野】
【０００１】
[0001]  本発明は、リソグラフィ装置及びデバイスを製造する方法に関する。
【背景技術】
【０００２】
[0002]  リソグラフィ装置は、所望のパターンを基板上、通常、基板のターゲット部分上に付与する機械である。リソグラフィ装置は、例えば、集積回路（ＩＣ）の製造に用いることができる。その場合、ＩＣの個々の層上に形成される回路パターンを生成するために、マスク又はレチクルとも呼ばれるパターニングデバイスを用いることができる。このパターンは、基板（例えば、シリコンウェーハ）上のターゲット部分（例えば、ダイの一部、又は１つ以上のダイを含む）に転写することができる。通常、パターンの転写は、基板上に設けられた放射感応性材料（レジスト）層上への結像によって行われる。一般には、単一の基板が、連続的にパターニングされる隣接したターゲット部分のネットワークを含んでいる。公知のリソグラフィ装置としては、ターゲット部分上にパターン全体を一度に露光することにより各ターゲット部分を照射する、いわゆるステッパ、及び放射ビームによってある特定の方向（「スキャン」方向）にパターンをスキャンすると同時に、この方向に平行又は逆平行に基板をスキャンすることにより各ターゲット部分を照射する、いわゆるスキャナが含まれる。パターンを基板上にインプリントすることにより、パターニングデバイスから基板にパターンを転写することも可能である。
【０００３】
[0003]  スループットとして知られている基板をパターン付けすることができる速度は、リソグラフィ装置システムにおける主要な性能基準であり、この速度を上げることが有益である。スループットは多数の要因、例えば、露光が行われる速度及び測定値を得ることができる速度に依存する。したがって、露光及び測定の両方に対して高スキャン速度を有することが有益である。しかし、高スキャン速度の測定及びパターニングの精度を維持することが重要である。
【０００４】
[0004]  大気システムにおける放射ビームは、例えばリソグラフィシステム内で発生するガスを通過する。ガスの特性における局所的な変動は、その中を通る放射ビームを影響し得る。既知の装置では、バリアはガスの変動が放射ビームに与える影響を減少させるために使用されているが、既知のバリアは高い速度では効果が低くなる。したがって、本発明の目的は、改善したバリアシステムを有する装置を提供することである。
【発明の概要】
【０００５】
[0005]  本発明のある態様によると、第１構成部品及び第２構成部品を含むリソグラフィ装置であって、第１構成部品及び第２構成部品は、互いに対して、スキャン方向及びスキャン方向と実質的に垂直であるステップ方向のうちの一方において相対運動を経るように構成される、リソグラフィ装置が提供される。ここでは、第１構成部品は第１表面を有し、第２構成部品は第２表面を有し、第１表面及び第２表面は互いに向き合っており、第１表面及び第２表面のうちの少なくとも特定の１つはバリアシステムを収容し、バリアシステムは、第１表面と第２表面との間のガスの保護容積内への周囲ガスの流入を減少又は防止するように動作するバリアを提供するように構成され、バリアシステムは、第１表面及び第２表面のうちの特定の１つに隣接する保護容積の一部を囲う壁と、少なくとも１つの開口であって、第１表面及び第２表面のうちの特定の１つに隣接する保護容積の一部を囲うガスカーテンを確立するために少なくとも１つの開口からのバリアガスの流れに適合される少なくとも１つの開口とのうちの少なくとも１つを含み、バリアは、スキャン方向及びステップ方向が位置する平面にジオメトリを有し、バリアは保護容積の周りの周囲ガスの流れを誘導するように動作し、周囲ガスの流れは、第１構成部品及び第２構成部品の相対運動によって誘発され、ジオメトリは第１角及び第２角を有し、第１構成部品及び第２構成部品が互いに対してスキャン方向及びステップ方向のうちの特定の一方に移動した場合、第１角はバリアの先端として機能し、第２角はバリアの後端として機能し、第１構成部品及び第２構成部品が互いに対して特定の方向と反対のさらなる方向に移動した場合、第１角はバリアの後端として機能し、第２角はバリアの先端として機能する。
【０００６】
[0006]  本発明のある態様によると、第１構成部品及び第２構成部品を含むリソグラフィ装置であって、第１構成部品及び第２構成部品は、互いに対して、スキャン方向及びスキャン方向と実質的に垂直であるステップ方向のうちの一方において相対運動を経るように構成される、リソグラフィ装置が提供される。ここでは、第１構成部品は第１表面を有し、第２構成部品は第２表面を有し、第１表面及び第２表面は互いに向き合っており、第１表面及び第２表面のうちの少なくとも特定の１つはバリアシステムを収容し、バリアシステムは、第１表面と第２表面との間のガスの保護容積内への周囲ガスの流入を減少又は防止するように動作するバリアを提供するように構成され、バリアシステムは、第１表面及び第２表面のうちの特定の１つに隣接する保護容積の一部を囲う壁と、少なくとも１つの開口であって、第１表面及び第２表面のうちの特定の１つに隣接する保護容積の一部を囲うガスカーテンを確立するために少なくとも１つの開口からのバリアガスの流れに適合される少なくとも１つの開口とのうちの少なくとも１つを含み、バリアは、平面上の角のあるジオメトリを有し、角のあるジオメトリはスキャン方向及びステップ方向のうちの特定の一方に対して全てが垂直ではない側面を角と角の間に有する。
【０００７】
[0007]  本発明のある態様によると、投影ビームを基板テーブル上に位置決めされた基板上に投影することと、任意的に放射ビームを用いて装置の特性を測定することとを含むデバイス製造方法が提供される。ここでは、投影ビーム及び放射ビームのうちの少なくとも１つは、バリアを提供するように構成されたバリアシステムを通過し、バリアは、投影ビーム及び放射ビームのうちの少なくとも１つが通過するリソグラフィ装置の第１表面と第２表面との間のガスの保護容積内への周囲ガスの流入を減少又は防止するように動作し、リソグラフィ装置は第１表面を有する第１構成部品を含み、第２表面を有する第２構成部品をさらに含み、第１構成部品及び第２構成部品は、互いに対して、スキャン方向及びスキャン方向と実質的に垂直であるステップ方向のうちの一方において相対運動を経るように構成され、バリアは、スキャン方向及びステップ方向が位置する平面にジオメトリを有し、バリアは保護容積の周りの周囲ガスの流れを誘導するように動作し、周囲ガスの流れは、第１構成部品及び第２構成部品の相対運動によって誘発され、ジオメトリは第１角及び第２角を有し、第１構成部品及び第２構成部品が互いに対してスキャン方向及びステップ方向のうちの特定の一方に移動した場合、第１角はバリアの先端として機能し、第２角はバリアの後端として機能し、第１構成部品及び第２構成部品が互いに対して特定の方向と反対のさらなる方向に移動した場合、第１角はバリアの後端として機能し、第２角はバリアの先端として機能する。
【０００８】
[0008]  本発明のある態様によると、投影ビームを基板テーブル上に位置決めされた基板上に投影することと、任意的に放射ビームを用いて装置の特性を測定することとを含むデバイス製造方法が提供される。ここでは、投影ビーム及び放射ビームのうちの少なくとも１つは、バリアを提供するように構成されたバリアシステムを通過し、バリアは、投影ビーム及び放射ビームのうちの少なくとも１つが通過するリソグラフィ装置の第１表面と第２表面との間のガスの保護容積内への周囲ガスの流入を減少又は防止するように動作し、リソグラフィ装置は第１表面を有する第１構成部品を含み、第２表面を有する第２構成部品をさらに含み、第１構成部品及び第２構成部品は、互いに対して、スキャン方向及びスキャン方向と実質的に垂直であるステップ方向のうちの一方において相対運動を経るように構成され、バリアは、平面上の角のあるジオメトリを有し、角のあるジオメトリはスキャン方向及びステップ方向のうちの特定の一方に対して全てが垂直ではない側面を角と角の間に有する。
【図面の簡単な説明】
【０００９】
[0009]  本発明のいくつかの実施形態を、単なる例として、添付の概略図を参照して以下に説明する。これらの図面において同じ参照符号は対応する部分を示す。
【図１】図１は、本発明のある実施形態によるリソグラフィ装置を示す。
【図２】図２は、本発明のある実施形態によるリソグラフィ装置の基板テーブルの概略的な平面図を示す。
【図３Ａ】図３Ａは、本発明のある実施形態によるバリアシステムの平面図を示す。
【図３Ｂ】図３Ｂは、本発明のある実施形態によるバリアシステムの側面図を示す。
【図４】図４は、バリアシステムがスキャン方向に対して傾斜される本発明のある実施形態によるバリアシステムを示す。
【図５】図５は、本発明のある実施形態によるバリアシステムを示す。
【図６Ａ】図６Ａは、バリアシステムが壁を備える本発明のある実施形態によるバリアシステムを示す。
【図６Ｂ】図６Ｂは、バリアシステムが壁を備える本発明のある実施形態によるバリアシステムを示す。
【図６Ｃ】図６Ｃは、バリアシステムが壁を備える本発明のある実施形態によるバリアシステムを示す。
【図７】図７は、センサが基板の表面のトポグラフィを測定するためのレベルセンサである本発明のある実施形態によるバリアシステムを示す。
【図８Ａ】図８Ａは、パターニングデバイスの近くに配置された本発明のある実施形態によるバリアシステムを示す。
【図８Ｂ】図８Ｂは、パターニングデバイスの近くに配置された本発明のある実施形態によるバリアシステムを示す。
【図８Ｃ】図８Ｃは、パターニングデバイスの近くに配置された本発明のある実施形態によるバリアシステムを示す。
【発明を実施するための形態】
【００１０】
[0010]  図１は、本発明の一実施形態によるリソグラフィ装置を概略的に示している。このリソグラフィ装置は、
‐放射ビームＢ（例えば、ＵＶ放射）を調整するように構成された照明システム（イルミネータ）ＩＬと、
‐パターニングデバイス（例えば、マスク）ＭＡを支持するように構築され、かつ特定のパラメータに従ってパターニングデバイスを正確に位置決めするように構成された第１ポジショナＰＭに連結されたサポート構造（例えば、マスクテーブル）ＭＴと、
‐基板（例えば、レジストコートウェーハ）Ｗを保持するように構築され、かつ特定のパラメータに従って基板を正確に位置決めするように構成された第２ポジショナＰＷに連結された基板テーブル（例えば、ウェーハテーブル）ＷＴと、
‐パターニングデバイスＭＡによって放射ビームＢに付けられたパターンを基板Ｗのターゲット部分Ｃ（例えば、１つ以上のダイを含む）上に投影するように構成された投影システム（例えば、屈折投影レンズシステム）ＰＳとを備える。
【００１１】
[0011]  照明システムとしては、放射を誘導し、整形し、又は制御するために、屈折型、反射型、磁気型、電磁型、静電型、又はその他のタイプの光コンポーネント、あるいはそれらのあらゆる組合せなどのさまざまなタイプの光コンポーネントを含むことができる。照明システムは、リソグラフィ装置の一部を形成しているとみなしてもみなさなくてもよい。
【００１２】
[0012]  サポート構造は、パターニングデバイスの重量を支えるなどしてパターニングデバイスを支持する。サポート構造は、パターニングデバイスの向き、リソグラフィ装置の設計、及び、パターニングデバイスが真空環境内で保持されているか否かなどの他の条件に応じた態様で、パターニングデバイスを保持する。サポート構造は、例えば、必要に応じて固定又は可動式にすることができるフレーム又はテーブルであってもよい。サポート構造は、パターニングデバイスを、例えば、投影システムに対して所望の位置に確実に置くことができる。本明細書において使用される「レチクル」又は「マスク」という用語はすべて、より一般的な「パターニングデバイス」という用語と同義であると考えるとよい。
【００１３】
[0013]  本明細書において使用される「パターニングデバイス」という用語は、基板のターゲット部分内にパターンを作り出すように、放射ビームの断面にパターンを与えるために使用できるあらゆるデバイスを指していると、広く解釈されるべきである。なお、留意すべき点として、放射ビームに付与されたパターンは、例えば、そのパターンが位相シフトフィーチャ又はいわゆるアシストフィーチャを含む場合、基板のターゲット部分内の所望のパターンに正確に一致しない場合もある。通常、放射ビームに付けたパターンは、集積回路などのターゲット部分内に作り出されるデバイス内の特定の機能層に対応することになる。
【００１４】
[0014]  リソグラフィ装置は、２つ（デュアルステージ）以上の基板テーブル（及び／又は２つ以上のマスクテーブル）を有する型のものであってもよい。そのような「マルチステージ」機械においては、追加のテーブルは並行して使うことができ、又は予備工程を１つ以上のテーブル上で実行しつつ、別の１つ以上のテーブルを露光用に使うこともできる。
【００１５】
[0015]  リソグラフィ装置は、投影システムと基板との間の空間を満たすように、比較的高屈折率を有する液体（例えば水）によって基板の少なくとも一部を覆うことができるタイプのものであってもよい。また、リソグラフィ装置内の別の空間（例えば、マスクと投影システムとの間）に液浸液を加えてもよい。液浸技術は、当該技術分野において、投影システムの開口数を増加させることで知られている。本明細書において使用される「液浸」という用語は、基板のような構造物を液体内に沈めなければならないという意味ではなく、単に、露光中、投影システムと基板との間に液体があるということを意味するものである。
【００１６】
[0016]  放射ビームＢは、サポート構造（例えば、マスクテーブルＭＴ）上に保持されているパターニングデバイス（例えば、マスクＭＡ）上に入射して、パターニングデバイスによってパターン形成される。マスクＭＡを通り抜けた後、放射ビームＢは投影システムＰＳを通過し、投影システムＰＳは、基板Ｗのターゲット部分Ｃ上にビームの焦点をあわせる。第２ポジショナＰＷ及び位置センサＩＦ（例えば、干渉計デバイス、リニアエンコーダ、又は静電容量センサ）を使って、例えば、さまざまなターゲット部分Ｃを放射ビームＢの経路内に位置決めするように、基板テーブルＷＴを正確に動かすことができる。同様に、第１ポジショナＰＭ及び別の位置センサ（図１には明示的に示されていない）を使い、例えば、マスクライブラリから機械的に取り出した後又はスキャン中に、マスクＭＡを放射ビームＢの経路に対して正確に位置決めすることもできる。通常、マスクテーブルＭＴの移動は、第１ポジショナＰＭの一部を形成するロングストロークモジュール（粗動位置決め）及びショートストロークモジュール（微動位置決め）を使って達成することができる。同様に、基板テーブルＷＴの移動も、第２ポジショナＰＷの一部を形成するロングストロークモジュール及びショートストロークモジュールを使って達成することができる。ステッパの場合は（スキャナとは対照的に）、マスクテーブルＭＴは、ショートストロークアクチュエータのみに連結されてもよく、又は固定されてもよい。マスクＭＡ及び基板Ｗは、マスクアライメントマークＭ１及びＭ２と、基板アライメントマークＰ１及びＰ２とを使って、位置合わせされてもよい。例示では基板アライメントマークが専用ターゲット部分を占めているが、基板アライメントマークをターゲット部分とターゲット部分との間の空間内に置くこともできる（これらは、スクライブラインアライメントマークとして公知である）。同様に、複数のダイがマスクＭＡ上に設けられている場合、マスクアライメントマークは、ダイとダイの間に置かれてもよい。
【００１７】
[0017]  図示の装置をスキャンモードで使用することができる。スキャンモードにおいては、マスクテーブルＭＴ及び基板テーブルＷＴを同期的にスキャンする一方で、放射ビームに付けられたパターンをターゲット部分Ｃ上に投影する（すなわち、単一動的露光）。マスクテーブルＭＴに対する基板テーブルＷＴの速度及び方向は、投影システムＰＳの（縮小）拡大率及び像反転特性によって決めることができる。あるいは、別のスキャンモードにおいては、プログラマブルパターニングデバイスを保持した状態で、マスクテーブルＭＴを基本的に静止状態に保ち、また基板テーブルＷＴを動かす、又はスキャンする一方で、放射ビームに付けられているパターンをターゲット部分Ｃ上に投影する。
【００１８】
[0018]  スキャンモードにおいては、ターゲット部分の行又は列を露光させるために、基板テーブルは蛇行経路に沿って又はスキャン方向に前後に動くことができる。基板テーブルＷＴがスキャン方向に沿って前後に動いているときに露光が生じることができる。両方の移動方向は同等である。説明の便宜上、一方向を前スキャン方向と呼び、他方向を後スキャン方向と呼ぶ。
【００１９】
[0019]  スキャンモードにおいて基板テーブル（及び/又はマスクテーブルＭＴ）が動く方向がスキャン方向ＳＣである。基板テーブルＷＴ（及び/又はマスクテーブルＭＴ）を蛇行の間又は行と行の間若しくは列と列の間でステップ方向ＳＴに動かすこともできる。ステップ方向ＳＴはスキャン方向ＳＣと実質的に垂直である。スキャン方向ＳＣ及びステップ方向ＳＴを、それぞれＸ方向及びＹ方向又はその逆と呼ぶことができる。
【００２０】
[0020]  リソグラフィ装置は様々な異なる放射ビームを使用する。これらの放射ビームは、パターンを基板に照射するために使用される放射ビームである投影ビームを含む。放射ビームは、装置の異なる構成部品の位置又は特性を測定するために使用される様々な測定ビームも含む。放射ビームは、ビームが通過するガスによって影響される。
【００２１】
[0021]  いくつかの要素が、放射ビームがどのようにガス中を伝搬するかを影響し得る。例えば、温度、湿度及び組成がガスの屈折率を影響し得る。これらの要素及び乱流の局所的変化がガスの屈折率の不均一性及び時間的変化という結果となり得る。ガスを通過する放射ビームは、屈折率における不均一性及び時間的変化によって影響される。例えば、屈折率の変化は、投影ビームの軌道を変化させ、及び/又は波面誤差（すなわち、投影ビームにおける波面の凹凸）を引き起こし得る。測定誤差は、測定ビームの経路に沿った屈折率の変化によって誘発され得る。例えば、測定誤差は、装置の構成部品の位置決めの不正確さへと繋がり得る。そのようなあらゆる不正確さは、基板上のパターン付きビームの配置を変化させ、かつオーバーレイに悪影響を与え得る。
【００２２】
[0022]  放射ビームＢが通過する周囲ガスの屈折率の変動を減少させようとするために既知のシステムが実施されている。例えば、既知のシステムは、表面の開口からバリアガスを排出することによって提供されるガスカーテンを含む。ガスカーテンは、ガスカーテンの外にある周囲ガスの流れを妨害するバリアを形成する。ガスカーテンは、容積内のガスがガスカーテンの外の周囲ガスから効果的に切り離されるように容積の周りに設けられてよい。容積内のガスは、容積外のガスより均一となるように調整することができる。したがって、容積外の周囲ガスの変化の影響から放射ビームを保護するように、放射ビームが通過する容積の周りにバリアを提供するためにガスカーテンを用いることができる。この容積を保護容積と呼ぶ。容積内のガスを保護ガスと呼ぶ。しかし、保護容積に入るあらゆる未調整の周囲ガスは、放射ビームの伝搬を影響しかつ誤差を誘発し得る。
【００２３】
[0023]  既知のシステムは屈折率の変動を減少させるためにガスカーテンをバリアとして使用しているが、風洞テストなどの様々なテスト及びシミュレーションにより、スキャン速度が上がるにつれてさらに多くの未調整の周囲ガスが保護容積に入って調整済みの保護ガスを汚染することが分かった。
【００２４】
[0024]  ガスカーテンは、バリアを含む構成部品が動いているとき又はバリアの周りの流れに相対運動がある場合に流れにおける変形体としてみなすことができる。異なる構成部品の相対運動の結果として、停滞ガスの領域がバリアの端に作り出される。これらの停滞領域では、停滞ガスは蓄積して圧力の上昇へと繋がり、これは内側に押す力をバリアに加える。停滞領域による力は速度の上昇と共に増大する。圧力はバリアにおいて上昇し、ガスバリア外の周囲ガスを保護容積内へと押し入れる圧力勾配を発生させる。このように保護容積に入るガスをブレイクスルーと呼ぶことがある。したがって、既知のバリアは、高速では、そのようなバリア有さない従来のシステムより有意な利点を与えない。
【００２５】
[0025]  高スキャン速度では、未調整の周囲ガスのブレイクスルーが重大となり得る。この問題は、ステップ方向よりもスキャン方向でより顕著である。なぜなら、スキャン方向での相対運動の速度はステップ方向での速度より大きい傾向があるからである。例えば、測定中のスキャン方向ＳＣでの動作速度は約２ｍ／ｓであり、ステップ方向ＳＴでの動作速度は約０．８ｍ／ｓである。
【００２６】
[0026]  本発明の目的は、装置の構成部品の動作速度を低下させることなくバリアの縁部における停滞ガスのポケットの発生を防止又は減少させることによってブレイクスルーを最小限にすることである。これは、できる限り早くバリアの先端における周囲ガスの量を減少させることによって行われる。本発明は、バリアの界面を流れ方向に対して垂直にすることは停滞領域のサイズを増大させることを特定する。
【００２７】
[0027]  本発明では、バリアは、停滞領域を減少させかつバリア内の保護容積を保護するように構成される。停滞領域は、流れ方向における同じ（又は同様の）断面積を有する本体と比べて低い効力を有するように本体を流線型にすることによって減少される。バリアにおける停滞領域は、バリアが（流れに対して相対的に）動くにつれてバリアの側面が周囲ガスの流れに対して垂直とならないようなジオメトリ（すなわち、平面図の形状）及び向きをバリアに与えることによって縮小される。平面図は、スキャン方向ＳＣ及びステップ方向ＳＴが位置する平面である。言い換えると、バリアのジオメトリは、特定の方向（例えば、スキャンが行われるときの保護容積より外側の周囲ガスの流れ方向）の周囲ガスの流れに対して流線型である。
【００２８】
[0028]  本発明は、第１表面と第２表面との間の保護容積内への周囲ガスの流入を減少させるように動作するバリアを提供するように構成されたバリアシステムを提供する。放射ビームは、表面と表面との間の保護容積を通過することができる。したがって、放射ビームが通過する保護ガスを制御することができる。放射ビームは投影ビーム又は測定ビームであってよい。本発明は様々な実施形態を用いて以下に詳細に説明する。
【００２９】
[0029]  ある実施形態では、第１構成部品及び第２構成部品を備えるリソグラフィ装置が提供される。この実施形態では、第１構成部品は基板テーブルＷＴを含み、第２構成部品はグリッドＧを含む。グリッドＧは基準フレームＲＦに設置される。第１構成部品及び第２構成部品は、互いに対して、スキャン方向ＳＣ及びステップ方向ＳＴのうちの一方又は両方において相対運動を経るように構成される。第１構成部品又は第２構成部品は、静止している間、他方の構成部品がそれに対して動く。第１構成部品及び第２構成部品は、スキャン方向ＳＣ及びステップ方向ＳＴ以外の方向において互いに対して動いてもよい。
【００３０】
[0030]  基板テーブルＷＴは第１表面１を有し、第２構成部品は上にグリッドＧを有する第２表面を有する。第１表面１及び第２表面は互いに向き合っている。第１表面１及び第２表面は、平行面にあるようお互いに向き合っていてよい。図３Ｂに示すように、両方の表面は水平であってもよい。図２は、中心の矢印が第２構成部品に対する基板テーブルＷＴの相対運動を示す基板テーブルＷＴの概略的な平面図を示している。この実施形態では、基板テーブルＷＴ上の矢印は、基板テーブルＷＴ及び第２構成部品がスキャン方向ＳＣに互いに対して動くことを示している。
【００３１】
[0031]  この実施形態では、基板テーブルＷＴ上の第１表面１は、少なくとも１つのバリアシステム３を収容する。図２の基板テーブルＷＴ上には、４つのバリアシステム３が見える。図示されていない他の構成部品、例えば、基板を保持するために必要な構成部品を基板テーブルＷＴ上に含んでもよい。各バリアシステム３は、第１表面１と第２表面との間のガスの保護容積内への周囲ガスの流入を減少させるように動作するバリア４を提供するように構成される。図示する各バリアシステム３は、少なくとも１つの開口を含み、この少なくとも１つの開口は第１表面１に隣接する保護容積の一部を囲うガスカーテンを確立するためにそこからのバリアガスの流れに適合している。
【００３２】
[0032]  この実施形態では、バリア４は、スキャン方向ＳＣ及びステップ方向ＳＴが位置する平面上のジオメトリを有する。バリア４は、周囲ガスの流れを保護容積の周りに誘導するように動作し、周囲ガスの流れは、基板テーブルＷＴ及び第２構成部品の相対運動によって誘発される。周囲ガスの流れは、物体が通る周囲ガスであってよい。周囲ガスが事実上静止していても、周囲ガスの流れは、周囲ガスを通る物体の動きによって誘発され得る。周囲ガスの流れは、例えば物体に対する相対的な流れであってよい。
【００３３】
[0033]  図３Ａは、バリア４のジオメトリが第１角５及び第２角６を含むバリアシステム３を示している。図から分かるように、実施形態は、測定ビーム３０放射するための放射源２０及び測定ビーム３０を検出するためのセンサ４０をさらに含む。測定ビームは、グリッドＧに向かって投影される（図３Ｂに示す）。センサ４０は、測定ビーム３０を検出するように構成され、放射源２０及び/又はセンサ４０に対するグリッドＧの位置及び/又は動きを示すために使用される。センサは、グリッドＧを用いてリソグラフィ装置の構成部品の互いに対する位置を測定する。
【００３４】
[0034]  この実施形態では、第２構成部品は第２表面上にグリッドＧを含む。グリッドＧは第２表面上の第２構成部品の上に直接あってよい。あるいは、第２構成部品はグリッドプレートを含み、グリッドプレートの表面は第２表面である。この実施形態では、第２構成部品は、第２表面上にグリッドＧを有するか又はその上に取り付けられたグリッドプレートを有する基準フレームＲＦである。
【００３５】
[0035]  バリア４は図面に線として示されているが、固体の物体ではない。むしろ、この実施形態のバリア４は、正確な境界を有さない流れ及び/又は圧力の領域に等しく、図示するバリア４はほぼ示されているとおりの形状を有するものとみなすべきである。
【００３６】
[0036]  図３Ａ、図６Ａ及び図８Ｃの形状は、本発明で使用することができる異なる形状の例を示している。図示する形状はひし形及び六角形を含むが、例えば、第１対の側面が同じ長さであり第２対の側面が第１対の側面の長さとは異なる同じ長さであるたこ形ジオメトリなどのように本発明の請求の範囲内に入る変形が明らかに多数存在する。図示するバリアの形状及び図示していない他の形状は、開示する全ての実施形態のバリアシステムに対して交換可能である。
【００３７】
[0037]  本発明のジオメトリの使用及びバリア４の形状の最適化の利点は、平面上のバリア４が必要とする全体的なスペースの縮小に繋がり得るということである。既知のリソグラフィシステムでは、多数のセンサが使用され、多くの場合異なるシステム間に重なりがあり、例えば、センサの周りのガスカーテンは、異なるセンサを囲う反対面上のバリアシステム上に直接放出される。この重なりはいずれかの又は両方のセンサの精度を低下させ得る。本発明で使用するジオメトリは、異なるバリアシステム間にあまり重なりがないようにバリア４、したがってバリアシステム３が必要とする平面上の領域を減少させる。
【００３８】
[0038]  少なくとも第１角５及び第２角６は、必ずしも図２及び図３Ａに示すような鋭い先端でない。ジオメトリの角は、所定の半径を有する丸みがあってよい。後ほど説明するようにジオメトリは長軸及び短軸を有する。各半径は、短軸の１０％未満であることが好ましい。
【００３９】
[0039]  図示するバリアジオメトリの側面は、図３Ａに示すように平面図において直線である。ジオメトリの側面は直線である必要はないが、少なくとも１つの側面は曲率半径を有してもよい。少なくとも１つの側面は平面上の湾曲形状を有してもよい。
【００４０】
[0040]  バリア４（すなわち、ガスカーテン）を確立するための少なくとも１つの開口は、測定ビームが通過する保護容積を遮蔽するバリアガスの流れを提供するために放射源２０及びセンサ４０を囲うように構成される。この実施形態では、バリアシステム３は開口を含み、この開口は第１表面１に隣接する保護容積を囲うガスカーテンを確立するためにそこからのバリアガスの流れに適合している。図３ＡでＸ−Ｘで示したバリアシステム３の中心を通る断面を図３Ｂに示している。図３Ｂから分かるように、保護容積は基板テーブルＷＴの表面とグリッドＧとの間で画定され、ここではバリアガスは基板テーブルＷＴ上の開口によって制御される。
【００４１】
[0041]  バリア４は、バリア４外から第１表面１と第２表面との間のガスの保護容積に入る周囲ガスの量を減少させる。したがって、バリアシステム３は、バリア４内の保護容積を保護及び維持するためにバリア４を提供する。保護容積の中の保護ガスは制御又は調整することができ、これは上記したように測定ビーム３０を影響する屈折率の変動を減少させる。
【００４２】
[0042]  保護ガスは保護容積内のガスである。保護ガスはバリアガスから得ることができ及び/又は別の出口によって保護容積内に提供することができる（図示せず）。
【００４３】
[0043]  バリア４のジオメトリはバリアガス出口、すなわち、図３Ａ及び図３Ｂに示す第１表面１上の開口の配置によって画定される。バリアガスはソース５０によって提供される。放射源２０及びセンサ４０が移動物体上に設けられるため、バリアガスの流れは、２ｍ／ｓまでの第２構成部品に対する基板テーブルＷＴの動作中及び静止中の両方の間に均一性及び安定性を維持する必要がある。さらに、バリアガスの流れは、リソグラフィ装置内の周囲ガスにおける他の外乱に対して頑強である必要がある。第１開口１１０は、放射源２０及びセンサ４０に隣接して設けられる。第１開口１１０は、ソース５０から第１バリアガスを提供するように配置される。第１バリアガスは、ガスの混合（例えば、人工空気）又は単一ガス（例えば、窒素などの不活性ガス）であってもよい。第１バリアガスは、その温度、湿度及び/又は組成について調整することができる。第１バリアガスは、開口１１０から出る際にセンサビームパスに移動する。
【００４４】
[0044]  第１開口１１０は、第１流れ特性を有する第１バリアガスを提供するように構築される。第１流れ特性は乱流であってよい。第１流れ速度は約１０ｍ／ｓ〜２０ｍ／ｓであってよい。したがって、第１流れを高速ジェットとして記載することができる。第１開口１１０は、単一の連続開口又は一列になった個別の開口などの一連の開口であってよい。第１開口１１０は、図３Ａにおいて単一の連続開口として示されている。第１開口１１０は、その開口から出る第１バリアガスが測定ビームパスを囲う及び/又は測定ビームパスへと流れるように構成される。
【００４５】
[0045]  第２開口１２０が提供される。第２開口１２０は、ソース５０から第２バリアガスを提供するように構築及び配置される。第２バリアガスは、第１バリアガスと同じソースから供給されてよい。第２バリアガスは、ガスの混合（例えば、人工空気）又は単一ガス（例えば、窒素などの不活性ガス）であってもよい。第２バリアガスは、その温度、湿度及び/又は組成について調整することができる。
【００４６】
[0046]  第２開口１２０からの第２バリアガスは、第１開口１１０からの第１バリアガスに隣接して提供される。第２開口１２０は、第２流れ特性を有する第２バリアガスを提供するように構築及び構成される。第２流れは第１流れ速度より低い速度を有し得る。第２流れは約１ｍ／ｓの速度を有し得る。第２流れ特性は第１流れ特性とは異なる。第２流れ特性は層状であってよい。第２開口１２０から出る第２バリアガスの流れは、センサ４０の光軸に対して第２開口１２０の半径方向外向きの未調整の周囲ガスが第１開口１１０から出る第１バリアガスの乱流によって同伴することを防止するシールドとして機能する。したがって、第２開口１２０は、第２バリアガスの流れが未調整の周囲ガスがセンサビームパスに到達することを防ぐように構成される。
【００４７】
[0047]  第２開口１２０は、単一の連続開口又は一列になった個別の開口などの一連の開口であってよい。第２開口１２０は、図３Ａにおいて単一の連続開口として示されている。
【００４８】
[0048]  放射源２０及びセンサ４０は、放射ビーム３０が第１開口１１０及び第２開口１２０によって提供されるバリア内の保護容積を通過するように位置決めされる。放射源２０及びセンサ４０は保護容積に隣接して配置されてよく、放射源２０及びセンサ４０は基準フレームＲＦ内に嵌め込まれるか又は放射源２０及びセンサ４０は保護容積内にあってもよい。放射源２０及びセンサ４０は保護容積に隣接して配置されてよく、放射源２０及びセンサ４０は基準フレームＲＦ内に嵌め込まれてよく、放射源２０及びセンサ４０は保護容積内にあってよい。図３Ａの平面図で示すように、放射源２０及びセンサ４０は、第１開口１１０及び第２開口１２０によって囲われていることが分かる。さらに、第２開口１２０は第１開口１１０の反対側、第１開口１１０と周囲ガスとの間にある。第１開口１１０は内側開口である。第２開口１２０は外側開口である。
【００４９】
[0049]  図３Ａから分かるように、第１開口１１０及び第２開口１２０の両方が放射源２０及びセンサ４０を囲う。第１開口１１０及び第２開口１２０は同心である。
【００５０】
[0050]  第１開口１１０及び第２開口１２０は、図３Ｂに示すようなバリアガス流を提供する。バリアガス流は、測定ビーム３０のパスの方向に対して実質的に平行の方向である。すなわち、流れは第２構成部品の表面上のグリッドＧに向かっている。第１開口１１０を通る第１バリア流は乱流である。乱流は第２開口１２０から出る層流から第２バリアガスを同伴する。これにより、基板テーブルＷＴが高速で動いているときに良好な動的混合特性を保証する。さらに、乱流による未調整の周囲ガスの取り込みは、第１バリアガス乱流のすぐ外に第２バリアガスを能動的に供給することによって回避される。第２バリアガスの層流は、保護容積内に入ろうとするあらゆる未調整の周囲ガスを吹き飛ばすか又は遮蔽することによってシールとして機能する。未調整の周囲ガスは層流の外側に残り、保護容積に入ることが防止される。
【００５１】
[0051]  バリア４のジオメトリは第１角５及び第２角６を有する。基板テーブルＷＴ及び第２構成部品が互いに対してスキャン方向ＳＣ、例えば前スキャン方向に移動した場合、第１角５はバリア４の前縁として機能し、第２角６はバリア４の後縁として機能する。基板テーブルＷＴ及び第２構成部品が互いに対してスキャン方向ＳＣと反対の方向、例えば後スキャン方向に移動した場合、第１角５はバリア４の後縁として機能し、第２角６はバリア４の前縁として機能する。前スキャン方向を図２の矢印によって示している。
【００５２】
[0052]  前縁角は周囲ガスの流れに交わるバリア４の最初の部分である。後縁角は相対運動の方向におけるバリア４の最後の部分である。これは、流れは表面に対して垂直の角度でバリア４の表面と交わらないことを意味し、すなわち、バリア４の端は流れに対して傾斜している。このジオメトリにより、流れをバリア４の周りに効率的に誘導することができる。これは、バリア４がより流線型であって停滞領域を縮小するため有益である。したがって、ブレイクスルーの量は減少（又は防止）され、保護容積に入る未調整の周囲ガスが減少される。測定ビーム３０が通過する保護容積内のガスの温度、湿度及び/又は組成のばらつきは減少され、測定システムによって改善した測定値を得ることができる。これは、例えば、これらの測定値に基づいて互いに対する構成部品の位置を制御することによって基板上の放射ビームの位置決めを改善することができる。
【００５３】
[0053]  図３Ａに示すように、上記の実施形態によると、バリア４は平面上の角のあるジオメトリを有し、角のあるジオメトリはスキャン方向ＳＣ及びステップ方向ＳＴのうちの特定の一方に対して全てが垂直ではない側面を角と角の間に有する。角のあるジオメトリは前縁角及び後縁角を有する。いずれもスキャン方向ＳＣ及びステップ方向ＳＴに対して垂直ではない側面を有するバリア４の供給は、上記した停滞領域の縮小に役立つ。したがって、本発明は、バリア４内の保護容積の中への周囲ガスの流入を減少させるバリア４を提供する。
【００５４】
[0054]  図３Ａは、中心を通りかつジオメトリの二つの角を通過する想像線を有するジオメトリのバリア４を示している。想像線は、ジオメトリの中心及び少なくとも１つの角を通過してよい。この線は第１方向にある。この実施形態では、図２及び図３Ａから分かるように、第１方向はスキャン方向ＳＣと同じである。この実施形態では、想像線は前縁角である第１角５及び後縁角である第２角６を通過する。
【００５５】
[0055]  図３Ａに示すバリア４のジオメトリは、第１方向に直交する第２方向（短軸）の最大寸法より大きい第１方向（長軸）の最大寸法を有する。これはジオメトリが第１方向に細長いことを意味する。ジオメトリの伸長はより流線型の形へと繋がり、これはバリア４の周りの周囲流の動きを補助してブレイクスルーを減少させることができる。
【００５６】
[0056]  アスペクト比とは、第１方向の最大寸法対第２方向の最大寸法の比率である。アスペクト比は、バリア４の（１つ以上の）側面に構成される停滞領域を変更するように最適化されてよい。アスペクト比は、形状を流線型にするように変更されてよい。最適比は、構成部品が互いに対して移動する速度、バリアシステム３の配置、バリアシステム３を収容するために使用される表面等に依存し得る。さらに、バリアジオメトリの比率及び全体のサイズは、バリア４内に必要とされる最小容積によって制約される。例えば、本実施形態では、バリア４は、放射源２０及びセンサ４０を収容するのに十分に大きい必要がある。
【００５７】
[0057]  アスペクト比は、少なくとも１．３：１、好ましくは少なくとも１．５：１であってよい。本実施形態では、アスペクト比は２．５：１にまで達し得る。流線型のジオメトリを作成するために高アスペクト比を使用することは必須ではないが、流れがバリア４の周りにより効率的に誘導されるようにより細長いジオメトリ（すなわち、高アスペクト比を有する）がより流線型になる可能性が高い。アスペクト比は、所望のジオメトリ及び/又は形状によって選択することができる。所望のアスペクト比は、さらなる実施形態で記載したようにリソグラフィ装置内のバリアシステム３の配置に依存し得る。
【００５８】
[0058]  隣接する側面は、ジオメトリがどのように流線型なのかを影響し得る。図２及び図３Ａに示すように、ジオメトリは４つの側面を有する。一般に、ジオメトリは、包含的に４〜８つの側面、すなわち、４，５，６，７又８つの側面を有し得る（がこれらに限定されない）。
【００５９】
[0059]  図３Ａに示すように、隣接する側面の長さは同じであってよい。さらに、ジオメトリは平面に対して対称的となるように構成されてよく、平面は第１方向と平行であると共に第１方向及び第２方向の両方に対して垂直である方向と平行である。したがって、図３Ａのジオメトリは、平面図において第１方向の想像線のいずれの側にミラーイメージを形成する。ジオメトリが対称的であることは必須ではない。しかしながら、対称ジオメトリを有することは、バリア４内の保護容積にわたる圧力差を最小限にするという利点を与える。圧力差を最小限にすることにより、保護容積にわたるバリア４を通るガス流が減少される。これは、保護容積に入る周囲ガスの量を減少させるため有益である。
【００６０】
[0060]  第１開口１１０及び第２開口１２０はそれぞれ、ジオメトリの周りの単一の連続開口として示されている。上記したように、第１開口１１０は一連の個別の開口であり及び/又は第２開口１２０は一連の個別の開口であってよい。
【００６１】
[0061]  ある実施形態では、開口を用いて動的なガスバリアを提供することができる。この実施形態は、バリアジオメトリが動的なバリアジオメトリである、すなわち、バリアジオメトリが可変の形状を有すること以外は上記の実施形態と同じである。さらに説明するように、動的のバリアジオメトリは、例えば、バリアシステム３によって供給されるガス流を変更することによって変更することができる。上記したように、第１開口１１０及び第２開口１２０のそれぞれは、一連の個別の開口を含んでよい。第１開口１１０のために使用される一連の個別の開口を第１出口と呼ぶ。第２開口１２０のために使用される一連の個別の開口を第２出口と呼ぶ。第１出口及び第２出口は、バリアガスを解放するためにバリアシステム３によって制御されてよい。提供されるガスバリアのジオメトリを制御するために種々の出口が異なる時間にバリアガスを解放することができる。第１出口及び第２出口は、平面上の異なるジオメトリを有するバリアを作成するために選択的に異なる個別の出口からバリアガスを解放するために制御されてよい。したがって、いくつかの第１出口及び/又はいくつかの第２出口は、第１開口１１０及び/又は第２開口１２０をそれぞれ提供するために使用されない場合がある（すなわち、特定の形状/ジオメトリには必要ないこともある）。
【００６２】
[0062]  第１出口は、第１開口１１０に対して所定の形状を提供するために使用することができる。全ての第１出口が同時に使用されない場合がある。すなわち、所望の形状を提供するために、第１出口のサブセットのみが第１開口１１０を提供するために使用され得る。第２出口は、第２開口１２０に対して所定の形状を提供するために使用することができる。全ての第２出口が同時に使用されない場合がある。すなわち、所望の形状を提供するために、第２出口のサブセットのみが第２開口１２０を提供するために使用され得る。第１開口１１０及び第２開口１２０のそれぞれによって提供されるジオメトリは、バリアジオメトリが変更可能、すなわち動的であるように出口を制御することによって変更することができる。第１開口１１０及び第２開口１２０に使用される出口は交換可能であるように構成されてよい。すなわち、バリアジオメトリが変更された場合第１開口１１０のために使用される個別の出口は第２開口１２０のために使用することができ、その逆も同様である。
【００６３】
[0063]  可変形状を有するバリアジオメトリを提供することは有益であり得る。なぜなら、このジオメトリは、バリア４の周りの周囲ガスの流れを最適化するように適合させることができるからであり、これは上記したように保護容積内に入る周囲ガスのブレイクスルーの減少に役立つことができる。例えば、バリアジオメトリの向きは、バリアガスを異なる出口、すなわち、第１出口の異なるサブセット及び/又は第２出口の異なるサブセットから解放することによって変更してよい。バリア４の向きなどのジオメトリは、様々な要因、例えば構成部品の相対運動の速度に応じて最適化することができる。
【００６４】
[0064]  上記の実施形態では、重要な方向は、装置の構成部品が比較的高い速度で動く方向、例えばスキャン方向ＳＣ及びステップ方向ＳＴである。リソグラフィ装置内の周囲ガスは、通常、特定の主流方向を有さない乱流である。例えば、基板テーブルＷＴの位置では、周囲ガスは、リソグラフィ装置内の全体的な流れ動作を影響する様々なソース（例えば、ガスシャワー）からのガスから成る。周囲ガスの流れは、例えばガス抽出器等の他のフィーチャによっても影響され得る。しかしながら、スキャン中、変形体が経る最大の流れ速度は、通常、スキャン方向ＳＣのスキャン速度によって決定される。この速度と比較して、他の方向の全ての他の流れ速度は通常さほど重要ではない。なぜなら、スキャン方向ＳＣは、通常構成部品が互いに対して他の方向より高い速度で移動する方向であるからである。したがって、構成部品が互いに対してステップ方向ＳＴではなくスキャン方向ＳＣに移動した場合に問題がより顕著になる傾向がある。なぜなら、構成部品はこの方向においてより速く移動する傾向があるからである。
【００６５】
[0065]  構成部品の相対運動から生じる周囲ガス流の方向に対するバリアのジオメトリを最適化することが有益である。相対的な流れ方向は、第１構成部品及び第２構成部品の相対運動によって誘発される保護容積外の周囲ガスの流れの方向である。これはスキャン方向ＳＣと同じ方向でなくてもよい。
【００６６】
[0066]  異なる実施形態は、異なる最適なジオメトリの向きを有してよい。ジオメトリの向きは傾斜角に対して画定されてよい。この傾斜角は、想像線（中心及び少なくとも１つの角を通る線）とスキャン方向ＳＣとの間の角度であり、すなわち、（ジオメトリを通る想像線の）第１方向がスキャン方向ＳＣに対して傾斜している。バリアシステム１００に対する傾斜角αを図４に示している。バリアシステム１００は、図２及び図３Ａに示すバリアシステム３などの前述の実施形態に記載したバリアシステムと同じであってもよく、本願中においてバリアシステム３と交換可能である。傾斜角αは、構成部品の相対運動から生じる周囲ガス流の方向の流線型化を改善するために最適化することができる。前縁１０５及び後縁１０６は、図４のスキャン方向ＳＣに沿っていない。
【００６７】
[0067]  最適な傾斜角αは、リソグラフィ装置内のバリアの配置によって変化し得る。最適な傾斜角αは、バリアの周りの周囲ガスの動きを影響する様々な要因、例えば、第１構成部品の速度、第２構成部品の速度、バリアシステム１００の配置及び/又は構成部品の相対運動による周囲ガス流の方向に依存し得る。所望の傾斜角αは、どの他の構成部品がバリアシステム１００の周囲又は近くにあるか、すなわち、どの近くの他の構成部品がバリアシステム１００を囲う周囲ガスの相対的な流れを影響し得るかによっても変化し得る。図２及び図３Ａに示すように、第１方向とスキャン方向ＳＣとの間に傾斜がない場合がある。しかし、別の実施形態では、傾斜角は相対的な流れに応じて最適化される。例えば、いくつかの実施形態では、図４に示すように第１方向とスキャン方向ＳＣとの間の傾斜角αは、好ましくは０°より大きい及び/又は９０°より小さい。より好ましくは、傾斜角αは５°より大きい。傾斜角αは、０°と６０°の間、好ましくは３０°と６０°の間、より好ましくは４０°と５０°の間であってよい。
【００６８】
[0068]  任意の実施形態では、グリッドＧは、センサ４０による検出のためにマーカ及び/又はターゲットによって置き換えられてもよい。
【００６９】
[0069]  さらなる実施形態を以下に説明する。以下の実施形態では、リソグラフィ装置のフィーチャは、前述した実施形態と同様の構造及び機能であり、よって同じ利点を与える。以下の実施形態では、実施形態間の違いについてのみ考察する。
【００７０】
[0070]  ある実施形態では、第１構成部品はセンサモジュールＳＭであり、第２構成部品はグリッドＧを有する基板テーブルＷＴである。センサモジュールＳＭは第１表面１を有し、基板テーブルＷＴは第２表面を有する。センサモジュールＳＭは上記したバリアシステム３を収容する。グリッドＧは基板テーブルＷＴ自体に直接マーク付けされるか、あるいは、基板テーブルＷＴは、第２構成部品の表面がグリッドプレート上のグリッドＧであるようにグリッドプレートを含む。この実施形態では、放射源２０及びセンサ４０は第１構成部品上、すなわち、上述の実施形態のように基板テーブルＷＴではなくセンサモジュールＳＭ上にある。実質上、この実施形態は、第１構成部品と第２構成部品とが交換されたこと以外は前述の実施形態とほぼ同じである。この実施形態の例を図５に示している。この実施形態では、センサモジュールＳＭは、基準フレームＲＦに設置されるか又はその一部であってよい。この実施形態では、グリッドＧはセンサ４０による検出のためにマーカ及び/又はターゲットによって置き換えられてもよい。
【００７１】
[0071]  ある実施形態では、上記した発明は、光学システム及びターゲット及び/又はマーカを含む測定システムに適用される。上記したバリアシステム３は表面上に提供され、バリア４はマーカ及び/又はターゲットを囲う（上記した放射源２０及び/又はセンサ４０を囲うのではなく）。すなわち、バリアシステム３は放射源２０及び/又はセンサ４０と反対の表面上にある。
【００７２】
[0072]  ある実施形態では、上記した発明は、基板Ｗ上のマーカを検出するように構成されたアライメントセンサに適用される。上述したバリアシステム３は表面上に提供され、バリアシステム３は基板Ｗの反対側にあるアライメントセンサと同じ表面上にある。バリアシステム３は多数のアライメントセンサを囲んでよい。各アライメントセンサは、単一のバリアによって囲われた保護容積を通過する放射ビームを検出する。さらに、異なる種類の多数のセンサが１つのバリアによって囲われてよい。さらに、同じ種類の多数のセンサが１つのバリアによって囲われてよい。各アライメントセンサは基板上の異なるマーカを測定することができ及び/又は多数のアライメントセンサを用いて同じマーカを検出することができる。さらに又は代替的に、多数のバリアシステム３が設けられてもよく、各バリアシステムは１つのアライメントセンサに関連して使用される。
【００７３】
[0073]  ある実施形態では、本発明のバリアシステムを、基準フレームＲＦに取り付けられ得る又はその一部を形成し得るアライメントセンサに適用することができる。アライメントセンサの例が米国特許出願公開第２００８/００４３２１２号に記載されており、その全体を本願に参考として組み込む。
【００７４】
[0074]  ある実施形態では、バリアシステム３は、第１表面及び第２表面のうちの特定の１つに隣接する保護容積の一部を囲う壁を含んでよい。この実施形態では、壁は規定容積を囲う。壁は第１表面又は第２表面からの突起である。壁は、ガスカーテンに対して説明したジオメトリのうちのいずれか１つと同じのジオメトリを有する。
【００７５】
[0075]  ガスカーテンを使用した場合、ブレイクスルーが問題となり得る。壁を使用するとき、ブレイクスルーは発生しないが周囲ガスは壁の上又は下を通って保護容積内へと流れ得る。したがって、本実施形態では、バリアは、保護容積内への周囲ガスの流れを減少させるために上記と同じジオメトリが提供される。バリアジオメトリの形状は、相対運動があるときにバリアの周りの流れを誘導する。したがって、これは保護容積に入る周囲ガスの量を減少（又は防止）する。結果的に、保護容積を通過する放射ビームは、本発明に従わない別のジオメトリを用いるバリア内に配置されたときと比べてあまり影響されない。
【００７６】
[0076]  この実施形態を図６Ａ及び図６Ｂに示している。この実施形態では、第１構成部品は第１表面上にセンサ２４０を有する基板テーブルＷＴであり、バリアシステムはセンサ２４０の周りにバリア２００を設ける。センサ２４０は、投影ビーム２３０を測定するために使用される透過イメージセンサ又はエネルギーセンサ（スポットセンサとしても知られている）であってよい。センサ２４０が使用中の場合、投影ビーム２３０はバリア２００によって保護された保護容積を通過する。投影ビーム２３０は、透過マーカプレート２５０を通過してセンサ２４０に到達する。この実施形態では、バリア２００は壁である。この実施形態に対して使用することができるジオメトリを図６Ａに示している。このジオメトリは、上記した他のあらゆるバリアに対して提供されるジオメトリと交換可能である。この実施形態によるバリアシステムの例を図６Ｂに示している。この図は、図６Ａの断面Ｖ−Ｖを通る側面から見た透過イメージセンサを示している。
【００７７】
[0077]  上記の実施形態の変形例を図６Ｃに示しており、ここでは、反射マーカプレート２６０が透過マーカプレート２５０の代わりに第１表面上に設けられる。投影ビーム２３０はマーカプレート２６０から反射し、センサ（図示せず）によって検出される。この例では、センサは第１表面又は第２表面のいずれかの上にない場合がある。
【００７８】
[0078]  ある実施形態では、本発明のバリアシステムは、レベルセンサ２８５に適用され、このレベルセンサ２８５は、表面、この場合、基板Ｗのトポグラフィを測定するために使用される。この実施形態の例を図７に示している。この実施形態では、第１構成部品は基板Ｗであり、第２構成部品はバリアシステム及びレベルセンサ２８５を収容し、バリアシステムは壁であり得るバリア２９０を提供する。第２構成部品は、基準フレームＲＦに取り付けられるか又はその一部を形成するセンサモジュールであってよい。この実施形態では、放射ビームは測定ビーム２７０であり、放射源２８０から第１構成部品又は第２構成部品のいずれにも放出されない。一般に、レベルセンサ２８５に使用される測定ビーム２７０は、レベルセンサ２８５に到達する前に垂直とは程遠い入射角で基板Ｗから反射する。この実施形態では、測定ビーム２７０は、レベルセンサ２８５に隣接する保護容積を通過する。基板Ｗのスキャン中又は測定値が求められるときにレベルセンサ２８５を使用してもよい。本発明のバリアシステムは、投影ビームが異なる構成部品の間を通過するときにその投影ビームを保護するために投影ビームの少なくとも一部の周りで利用されてよい。例えば、バリアシステムは、パターニングデバイスＭＡと基板Ｗとの間の投影ビームのパスを影響し得る保護ガスの屈折率の変動を減少させるためにパターン付き投影ビームを保護するために使用されてよい。
【００７９】
[0079]  ある実施形態では、投影ビームはバリアシステムを通過する。この実施形態では、第１構成部品は、第１表面３０１を有する、サポート構造ＭＴと投影システムＰＳの上部との間のレンズトップ環境(lens top environment)（ＬＴＥ）プレート３１０と呼ばれるプレートである。図８Ａは、本実施形態のバリアシステム３００を示している。投影システムＰＳのトップレンズ３２０は、ＬＴＥプレート３１０の下にある。第２構成部品はサポート構造ＭＴである。サポート構造ＭＴの底面は、通常第２表面３０２である。投影ビームは、ＬＴＥプレート３１０内の開口３６０を通過する。ＬＴＥプレート３１０は、互いに実質的に平行及びサポート構造ＭＴのスキャン方向ＳＣに実質的に垂直である側壁３６０ａ及び３６０ｂを有する開口３６０を含んでよい。ＬＴＥプレート３１０の第１表面３０１はバリアシステム３００を収容する。
【００８０】
[0080]  図８Ａでは、バリアシステム３００は、第１表面３０１に隣接する保護容積の一部を囲うバリア（すなわち、ガスカーテン）を確立するための開口３１１及び３１２（これ以上又はこれ以下の開口を設けてもよい）を含む。前述のあらゆる実施形態に記載したバリアシステムは、ＬＴＥプレート３１０とサポート構造ＭＴとの間の保護ガスの保護容積を保護するために使用してよい。バリアシステム３００は、上記のあらゆるジオメトリを設けることができるバリアを含んでよい。図８Ａに示すように、この実施形態は、放射源、センサ、グリッドＧ又はマーカ及び/又はターゲットを含まない場合がある。投影ビームは保護容積を通過して投影システムＰＳに到達し、保護容積外のガスによってあまり影響されない。したがって、本実施形態は、上記した本発明の利点を与える。図８Ｂは、ＬＴＥプレート３１０を含む本実施形態の例示的ジオメトリの平面図を示している。図８Ｂは、上記の実施形態に類似するバリアジオメトリをどのようにＬＴＥプレート３１０上に設けることができるかを示している。この例では、バリアシステムは、ガスを放出するために開口３１１及び３１２を用いてバリア内の容積を保護するバリアを提供する。開口３１１及び３１２は、上記したように連続的又は個別であってよい。投影ビームは、保護容積を通過し、開口３６０を通過して投影システムＰＳに到達する。図８Ｂのバリアジオメトリは、例えば、図４、図６Ａ及び図８Ｃに示す他の実施形態のバリアジオメトリと交換することができる。
【００８１】
[0081]  マニピュレータプレート３７０は、任意選択としてＬＴＥプレート３１０の開口３６０に設けられてもよい。これは図８Ｂに示していない。国際公開第２０１３/１７４６４６号は、マニピュレータプレート３７０を含むリソグラフィ装置を開示している。マニピュレータプレート３７０は、放射ビームの焦点を制御するためにパターニングデバイスＭＡと基板ＷＴとの間に配置される。国際公開第２０１３/１７４６４６号に記載したマニピュレータプレート３７０に関する装置は、参照することにより本明細書中に組み込まれている。
【００８２】
[0082]  図８Ｃは、マニピュレータプレート３７０を含む本実施形態に対するジオメトリの例を示している。マニピュレータプレート３７０は、Ｘ方向及びＹ方向に傾斜するように適合されてよく、Ｘ方向はスキャン方向ＳＣであり、Ｙ方向はステップ方向ＳＴである。マニピュレータプレート３７０は、投影ビームが投影システムＰＳ内へと入る際のその配置に影響を与えることによって基板Ｗ上の投影ビームの配置を調整するために使用されてよい。マニピュレータプレート３７０は、アクチュエータを用いて傾斜されてよい（図示せず）。マニピュレータプレート３７０を傾斜させることは、基板Ｗ上に投影されるイメージがシフトするように投影ビームをシフトさせる。Ｙ方向の軸に対してマニピュレータプレート３７０を傾斜させることによってＸ方向のイメージシフトが引き起こされる一方、マニピュレータプレート３７０をＸ方向の軸に対して傾斜させることはＹ方向のイメージシフトをもたらす。マニピュレータプレート３７０を両方向に傾斜させることは、Ｘ方向及びＹ方向の両方のシフトを提供する。
【００８３】
[0083]  マニピュレータプレート３７０は、当該放射を透過させるあらゆる材料から成ってよく、例えば、ガラスが適切な材料である。マニピュレータプレート３７０は、可撓性材料から成ってもよく、それによって、傾斜運動に加えて又はその代わりにマニピュレータプレート３７０を曲げることができ、焦点のシフトを引き起こすことができる。マニピュレータプレート３７０の屈曲は、マニピュレータプレート３７０の１つ以上の端部に沿って設けられる１つ以上のアクチュエータ（図示せず）によって引き起こすことができる。
【００８４】
[0084]  各実施形態では、バリア内の保護容積の安定性を向上させるために多数のパラメータを最適化することができる。これらのパラメータとして、（ジオメトリの中心及び少なくとも１つの角を通る）想像線と特定の方向（又は構成部品の相対運動から生じる周囲ガスの流れ方向）との間の傾斜角α、第１方向のジオメトリの最大寸法対第２方向のジオメトリの最大寸法の比率、隣接する側面の長さ及びジオメトリの対称性が挙げられるが、これらに限定されない。
【００８５】
[0085]  第１構成部品及び第２構成部品のそれぞれは、リソグラフィ装置の多数の異なる構成部品であってよい。上記の実施形態の特徴は、第１構成部品及び第２構成部品の違い以外は同じのままであってよい。例えば、第１構成部品は、基板Ｗ、基板テーブルＷＴ、基準フレームＲＦ、投影システムＰＳ、サポート構造ＭＴ、パターニングデバイスＭＡ、照明システムＩＬの構成部品又はリソグラフィ装置の別の構成部品のうちの１つであってよい。例えば、第２構成部品は、基板Ｗ、基板テーブルＷＴ、基準フレームＲＦ、投影システムＰＳ、サポート構造ＭＴ、パターニングデバイスＭＡ、照明システムＩＬの構成部品又はリソグラフィ装置の別の構成部品のうちの１つであってよい。
【００８６】
[0086]  さらに、バリアシステムは、センサ、放射源及びマーカ及び/又はターゲットのうちの少なくとも１つと同じ表面上に収容されてよい。代替的に又は追加として、バリアシステムは、センサ、放射源及びマーカ及び/又はターゲットのうちの少なくとも１つと反対の表面上に収容されてもよい。
【００８７】
[0087]  上記のあらゆる実施形態では、ガスカーテンを確立するために使用される開口は壁と交換可能であり、その反対も可能である。壁は、ガスカーテンを確立するために使用される開口に加えて又はその代わりに設けられてよい。
【００８８】
[0088]  様々なバリアシステムがリソグラフィ装置内に設けられてよい。したがって、バリアシステムは、リソグラフィ装置中の異なる配置で利用されてよい。同じ又は異なる実施形態を用いて多数のバリアシステムを設けてもよい。
【００８９】
[0089]  少なくとも１つの上記の実施形態によるリソグラフィ装置は、投影ビームを用いて基板を照射するためにデバイス製造方法で使用されてよい。
【００９０】
[0090]  本明細書において、ＩＣ製造におけるリソグラフィ装置の使用について具体的な言及がなされているが、本明細書記載のリソグラフィ装置が、集積光学システム、磁気ドメインメモリ用のガイダンスパターン及び検出パターン、フラットパネルディスプレイ、液晶ディスプレイ（ＬＣＤ）、薄膜磁気ヘッド等の製造といった他の用途を有し得ることが理解されるべきである。当業者にとっては当然のことであるが、そのような別の用途においては、本明細書で使用される「ウェーハ」又は「ダイ」という用語はすべて、それぞれより一般的な「基板」又は「ターゲット部分」という用語と同義であるとみなしてよい。本明細書に記載した基板は、露光の前後を問わず、例えば、トラック（通常、基板にレジスト層を塗布し、かつ露光されたレジストを現像するツール）、メトロロジーツール、及び／又はインスペクションツールで処理されてもよい。適用可能な場合には、本明細書中の開示内容を上記のような基板プロセシングツール及びその他の基板プロセシングツールに適用してもよい。さらに基板は、例えば、多層ＩＣを作るために複数回処理されてもよいので、本明細書で使用される基板という用語は、すでに多重処理層を包含している基板を表すものとしてもよい。
【００９１】
[0091]  光リソグラフィの関連での本発明の実施形態の使用について上述のとおり具体的な言及がなされたが、当然のことながら、本発明は、他の用途、例えば、インプリントリソグラフィに使われてもよく、さらに状況が許すのであれば、光リソグラフィに限定されることはない。インプリントリソグラフィにおいては、パターニングデバイス内のトポグラフィによって、基板上に創出されるパターンが定義される。パターニングデバイスのトポグラフィは、基板に供給されたレジスト層の中にプレス加工され、基板上では、電磁放射、熱、圧力、又はそれらの組合せによってレジストは硬化される。パターニングデバイスは、レジストが硬化した後、レジスト内にパターンを残してレジストの外へ移動される。
【００９２】
[0092]  本明細書で使用される「放射」及び「ビーム」という用語は、紫外線（ＵＶ）（例えば、３６５ｎｍ、３５５ｎｍ、２４８ｎｍ、１９３ｎｍ、１５７ｎｍ、又は１２６ｎｍの波長、又はおよそこれらの値の波長を有する）、及び極端紫外線（ＥＵＶ）（例えば、５〜２０ｎｍの範囲の波長を有する）、ならびにイオンビームや電子ビームなどの微粒子ビームを含むあらゆる種類の電磁放射を包含している。
【００９３】
[0093]  「レンズ」という用語は、文脈によっては、屈折、反射、磁気、電磁気、及び静電型光コンポーネントを含む様々な種類の光コンポーネントのいずれか１つ又はこれらの組合せを指すことができる。
【００９４】
[0094]  以上、本発明の具体的な実施形態を説明してきたが、本発明は、上述以外の態様で実施できることが明らかである。
【００９５】
[0095]  上記の説明は、制限ではなく例示を意図したものである。したがって、当業者には明らかなように、添付の特許請求の範囲を逸脱することなく本記載の発明に変更を加えてもよい。
【図１】
0006420839.tif 000002
【図２】
0006420839.tif 000003
【図３Ａ】
0006420839.tif 000004
【図３Ｂ】
0006420839.tif 000005
【図４】
0006420839.tif 000006
【図５】
0006420839.tif 000007
【図６Ａ】
0006420839.tif 000008
【図６Ｂ】
0006420839.tif 000009
【図６Ｃ】
0006420839.tif 000010
【図７】
0006420839.tif 000011
【図８Ａ】
0006420839.tif 000012
【図８Ｂ】
0006420839.tif 000013
【図８Ｃ】
0006420839.tif 000014